【手続補正書】
【提出日】平成18年2月17日(2006.2.17)
【手続補正１】
【補正対象書類名】特許請求の範囲
【補正対象項目名】全文
【補正方法】変更
【補正の内容】
【特許請求の範囲】
【請求項１】
スクリーン装置であって、
光を実質的に平行化するようにされた第１の層と、
前記第１の層から前記実質的に平行化された光を受け取り、受け取った前記実質的に平行化された光を集束するようにされた前記第１の層に近接した位置にある第２の連続層であり、前記第２の層と連続し、前記スクリーン装置のアイボックスを制御するように構成された突出部材のアレイを含む第２の連続層と、
前記第２の層に隣接し、前記集束光を受け取り、画像光として通過させるようにされた開口を有する第３の層とを備える、スクリーン装置。
【請求項２】
前記突出部材が、前記実質的に平行化された光を受け取り集束するようにされた表面のアレイを備える、請求項１に記載のスクリーン装置。
【請求項３】
前記第３の層が、前記複数の開口以外で光透過を実質的に阻止するようにされたマスク部分を備える、請求項１に記載のスクリーン装置。
【請求項４】
前記第１の層が、フレネルレンズを備える、請求項１に記載のスクリーン装置。
【請求項５】
前記第１の層が、非連続的なステップを含む、請求項１に記載のスクリーン装置。
【請求項６】
前記突出部材が、約５〜１００ミクロンの間で間隔を置いて設けられた、請求項１に記載のスクリーン装置。
【請求項７】
前記第１の層が、ホログラフィ光学要素を備える、請求項１に記載のスクリーン装置。
【請求項８】
請求項１のスクリーン装置を備えるコンピュータモニタ。
【請求項９】
請求項１のスクリーン装置を備えるテレビディスプレイ。
【請求項１０】
請求項１のスクリーン装置を備える折り返し光学システム。
【請求項１１】
前記開口の間の領域が、画像光でない光を除外するようにされた、請求項１に記載の画像投射システム。
【請求項１２】
画像投射システムであって、
光を生成するようにされた投射エンジンと、
前記エンジンから光を受けるようにされ、前記エンジンから受けた光を平行化するようにされたレンズ層を形成するスクリーンと、
前記スクリーンが、前記レンズ層に隣接し、前記平行化された光を受けるようにされた集束層を備え、
前記集束層が、少なくとも部分的に円形である突出部材のアレイを形成し、
前記突出部材の各々が、前記平行化された光を対応する焦点に集束するようにされ、
光透過を部分的に阻止するようにされたマスク層と、
前記マスク層にある開口とを備え、各焦点に対して１つの開口が、前記集束光が前記マスク層を通過できるようにされた、画像投射システム。
【請求項１３】
前記レンズ層が、フレネルレンズを備える、請求項１２に記載の画像投射システム。
【請求項１４】
前記レンズ層が、平坦な部材を備える、請求項１２に記載の画像投射システム。
【請求項１５】
前記レンズ層が、コリメータを備える、請求項１２に記載の画像投射システム。
【請求項１６】
前記マスク層が、薄いコーティングを備える、請求項１２に記載の画像投射システム。
【請求項１７】
前記投射エンジンおよび前記スクリーンが、折り返し光学システムに含まれる、請求項１２に記載の画像投射システム。
【請求項１８】
投射スクリーンの製造方法であって、
光を平行化するための第１の層を設けることと、
第２の層を設けることと、
前記光を集束させるために前記第２の層と連続的であり、前記投射スクリーンのアイボックスを制御するように構成された突出部材のマトリックスを形成することと、
前記光の一部分の透過を防止するために、前記第２の層上にマスク層を設けることと、
前記光の別の部分が通過できるようにするために、選択された位置で前記マスク層に開口を形成することとを含む、方法。
【請求項１９】
前記突出部材が前記レーザ光を集束して開口を形成するように、前記第１の層、前記第２の層、および前記マスクを介してレーザ光が方向付けられる、請求項１８に記載の方法。
【請求項２０】
前記突出部材が、マイクロ複製によって形成される、請求項１８に記載の方法。
【請求項２１】
前記突出部材が、前記第２の層上に形成され、約５〜１００ミクロンの間の直径を有する、請求項１８に記載の方法。
【請求項２２】
前記第１の層を設けることが、ホログラフィ光学要素を設けることを含む、請求項１８に記載の方法。
【請求項２３】
垂直方向および水平方向に異なって画像光の倍率を制御するように、前記突出部材を形成することをさらに含む、請求項１８に記載の方法。
【請求項２４】
ディスプレイ装置の投射スクリーンの作製方法であって、
光を平行化するようにされた第１の材料層を設けることと、
第２の材料層を設けることと、
前記第２の層上に、各々が焦点を有する突出部材のマトリックスを形成し、    前記突出部材のマトリックスが、前記焦点に光を集束するようにされ、前記突出部材が、前記ディスプレイ装置のアイボックスを制御するように構成されることと、
前記焦点を含む位置に前記第２の層を介して透過された一部の光の透過を防止するようにされるマスクを配置することと、
前記焦点で前記マスクを通る開口を形成するために、前記第１の層および前記突出部材のマトリックスを介して前記光を方向付けることとを含む、方法。
【請求項２５】
スクリーン装置であって、
第１の表面および第２の表面を有する少なくとも部分的に透過性のある材料シートを備え、前記第１の表面が、所定の分布の局所的に正の光学パワーユニットを形成する非平坦な表面を含み、前記第２の表面が、その上に形成された少なくとも部分的に吸収性のある材料層を有し、前記所定の分布の局所的に正の光学パワーユニットが、前記スクリーン装置のアイボックスを制御するように構成される、スクリーン装置。
【請求項２６】
前記スクリーン装置の視野角が、水平方向より垂直方向において小さい、請求項２５に記載のスクリーン装置。
【請求項２７】
前記所定の分布の局所的に正の光学パワーユニットが、少なくとも２つの異なる倍率を呈するように構成される、請求項２５に記載のスクリーン装置。
【請求項２８】
前記所定の分布の局所的に正の光学パワーユニットが、レーザエネルギー源が通過したとき部分吸収層を融除するのに十分なパワーを与えるように構成される、請求項２５に記載のスクリーン装置。
【請求項２９】
前記所定の分布の局所的に正の光学パワーユニットが、光が通過するとき、フォトグラフィのために部分吸収層を十分に露光するように光が集束されるように構成される、請求項２５に記載のスクリーン装置。
【請求項３０】
前記局所的に正の光学パワーユニットが、約５〜１００ミクロンの間で間隔を置いて設けられている、請求項２５に記載のスクリーン装置。
【請求項３１】
前記シートに光学的に連結され、画像エンジンから光を受けるように構成された光学要素をさらに備える、請求項２５に記載のスクリーン装置。
【請求項３２】
前記光学要素が、ホログラフィ光学要素を備える、請求項３１に記載のスクリーン装置。
【請求項３３】
前記光学要素が、フレネルレンズを備える、請求項３１に記載のスクリーン装置。
【請求項３４】
スクリーン装置であって、
第１の表面および第２の表面を有する少なくとも部分的に透過性のある材料シートを備え、前記第１の表面が、所定の分布の局所的に正の光学パワーユニットを形成する非平坦な表面を含み、前記第２の表面が、その上に形成された少なくとも部分的に吸収性のある材料層を有し、
前記シートに光学的に連結され、画像エンジンから光を受けるように構成されたホログラフィ光学要素を備える、スクリーン装置。
【請求項３５】
スクリーン装置であって、
第１の表面および第２の表面を有する少なくとも部分的に透過性のある材料シートを含み、前記第１の表面が、所定の分布の局所的に正の光学パワーユニットを形成する非平坦な表面を含み、前記第２の表面が、その上に形成された少なくとも部分的に吸収性のある材料層を有し、
前記シートに光学的に連結されたディスプレイ表面上に画像を生成するための投射装置を備えるスクリーン装置であって、前記投射装置が、
画像エンジンと、
光学デバイスと、
前記画像エンジンから前記ディスプレイ表面へ光を透過可能である光学システムによって、ある場合には前記ディスプレイ表面から光を反射し、別の場合には前記ディスプレイ表面を通過するために、前記ディスプレイ表面への途中で前記光学デバイスに二度到達する画像経路を光が進行する光学システムとを含み、前記光学デバイスが、ある光を反射し、他の光を透過する、スクリーン装置。
【請求項３６】
スクリーン装置の形成方法であって、
第１の表面および第２の表面を有する少なくとも部分的に透過性の材料シート上に、前記スクリーン装置のアイボックスを制御するように構成された所定の分布の局所的に正の光学パワーユニットを形成することと、
前記シートの前記第２の表面上に、少なくとも部分的に吸収性のある材料層を形成することと、
前記シートの前記第１の表面を通る光で、前記少なくとも部分的に吸収性のある層を照射することによって、前記少なくとも部分的に吸収性のある層に開口を形成することとを含み、前記局所的に正の光学パワーユニットが、前記局所的に正の光学パワーユニットと実質的に揃えられた開口が、前記少なくとも部分的に吸収性のある層に作られるように光を集束する、スクリーン装置の形成方法。
【請求項３７】
前記少なくとも部分的に吸収性のある層の厚みと前記開口のサイズとの比率は、前記開口間の前記少なくとも部分的に吸収性のある層の領域において他の光を吸収しながら、画像光が前記開口を通過できるように構成される、請求項３６に記載のスクリーン装置。
【請求項３８】
前記少なくとも部分的に吸収性のある層が、接着剤または接合剤に含浸されたカーボンまたは別の黒色または少なくとも部分的に吸収性のある材料の１つを含み、光で前記少なくとも部分的に吸収性のある層を照射することによって、前記少なくとも部分的に吸収性のある層に開口を形成する工程が、コヒーレント光で開口を減少することを含む、請求項３６に記載のスクリーン装置。
【請求項３９】
局所的に正の光学パワーユニットを基板に形成する方法であって、
基板上の局所的に正の光学パワーユニットの所望の配置の補完の形をしたマスタを形成することと、
前記マスタを用いて、基板に複数の局所化された正の光学パワーユニットを成形することとを含む、方法。
【請求項４０】
前記マスタが、シリンダまたはローラの周りに巻き付けるように構成され、複数のビーズのような突出部材を基板に成形するために使用される、請求項３９に記載の方法。
【請求項４１】
前記マスタを用いて基板に複数の局所的に正の光学パワーユニットを成形することが、前記マスタを加熱することと、その後、前記加熱されたマスタを用いて、複数の局所的に正の光学パワーユニットを基板にエンボス加工することとを含む、請求項３９に記載の方法。
【請求項４２】
基板上に局所的に正の光学パワーユニットの所望の配置の補完の形をしたマスタを形成する工程が、ベース基板を設けることと、前記ベース基板に高温液体インクの微小滴を噴出することによって、前記ベース基板上に局所的に正の光学パワーユニットの所望の配置の補完を形成することとを含む、請求項３９に記載の方法。